(57)【特許請求の範囲】
【請求項１】
ノズル本体を介して洗浄水を噴射して肛門や局所を洗浄及びマッサージし、自己洗浄ノズルを介して洗浄水を噴射して前記ノズル本体を洗浄する温水洗浄器のノズルアセンブリにおいて、
前記ノズル本体の下部に耐熱素材でありながら一方が開放された隔壁状の別途周辺部材が設けられており、
前記周辺部材は、座便器上に設けられたハウジングと別体として構成され、
前記ノズル本体の下部には、結合突起が設けられ、
前記周辺部材には、前記ノズル本体の結合突起を挿入する結合ホールが設けられ、
前記結合突起が前記結合ホールに挿入されることで前記ノズル本体と前記周辺部材とが固定されていることを特徴とする温水洗浄器のノズルアセンブリ。
【請求項２】
前記周辺部材の底面は、下部に向けて３°〜５゜傾斜されることを特徴とする請求項１に記載の温水洗浄器のノズルアセンブリ。
【請求項３】
前記周辺部材は、ステンレススチールからなることを特徴とする請求項１または請求項２に記載の温水洗浄器のノズルアセンブリ。
【発明の詳細な説明】
【技術分野】
【０００１】
本発明は、温水洗浄器に関し、特に、ノズル本体の下部に耐熱素材からなる周辺部材を設けることによって、周辺部材によりノズル本体の周辺部を衛生的に維持することができる温水洗浄器のノズルアセンブリ（nozzle assembly for warm water dealing of bidet）に関する。
【背景技術】
【０００２】
特許文献１（「温水洗浄器のノズル装置」）に開示されたように、座便器に設けられ、ノズルによって洗浄水を噴射することで、肛門や局所の洗浄及びマッサージができる温水洗浄器が提案されている。
【０００３】
このような温水洗浄器における従来のノズルアセンブリＡ’は、図７に示すように座便器上に設けられたハウジング１０’と、ハウジング１０’外部から流入される水供給管に連結された給水栓２０’と、給水栓２０’に連結されて洗浄水が流れる配管３０’と、配管３０’上の前方部に設けられて洗浄水圧を調節する減圧弁４０’と、減圧弁４０’の後方の配管３０’上に設けられて洗浄水を所定温度に加熱する温水タンク５０’と、温水タンク５０’の後方の配管３０’上に設けられて洗浄水流量を調節する流量調節弁６０’と、流量調節弁６０’の後方の配管３０’先端に設けられて洗浄水を噴射するノズル本体７０’と、ノズル本体７０’の先端周辺に設けられて流量調節弁６０’を経て分岐された洗浄水によりノズル本体７０’を洗浄する自己洗浄ノズル８０’と、を含んで形成されている。
【０００４】
一方、通常の温水洗浄器のノズルアセンブリＡ’においてノズル本体７０’はハウジング１０’上に設けられているノズル出入口１１を介してハウジング１０’から出入りすることになる。
【０００５】
そして、ノズル出入口１１の周辺には、図８に示すように、隔壁１２が設けられてノズル本体７０’の周辺部を他部位と区分させることになる。
【０００６】
このような隔壁１２は、ノズル本体７０’の周辺部を他部位と区分させることで洗浄水噴射過程においてノズル本体７０’の周辺部を越えて異物を含む洗浄水が飛ぶのを防止することになるので、ノズル本体７０’の周辺部に隣接する他部位が汚染するのを防止することができる。
【０００７】
この場合、従来の隔壁１２は、金属からなるノズル本体７０’と異なってハウジング１０’と同一素材の合成樹脂からなっているので、高温で変形しやすくなっていた。
【０００８】
よって、ノズル本体７０’を衛生的に維持する目的として、自己洗浄ノズル８０’からの洗浄水以外の高温水でノズル本体７０’を洗浄する場合、高温水と接する隔壁１２が変形されて隔壁１２の機能、すなわち、ノズル本体７０’の周辺部を、他部位と区分する機能を失うことになる。
【０００９】
上記のように、隔壁１２が高温水と接するために、高温による変形によりその機能を失うことになると、ノズル本体７０’の出入及びノズル本体７０’を介する洗浄水噴射過程において洗浄水に含まれた異物がノズル本体７０’の周辺、特に、ハウジング１０’上のノズル出入口１１の周辺を幅広く汚すことになるので、ノズル本体７０’の周辺部の衛生状態が悪くなる問題が発生する。
【００１０】
上記の理由により、該当分野においては、ノズル本体の周辺部の隔壁変形を防止してノズル本体の周辺部をより衛生的に維持することができる温水洗浄器のノズルアセンブリを開発している。
【００１１】
しかしながら、いまは、満足するほどの結果を提示することができない状況である。
【先行技術文献】
【特許文献】
【００１２】
【特許文献１】大韓民国特許出願公開第１０−１９９４−００２５５６１号明細書
【発明の概要】
【発明が解決しようとする課題】
【００１３】
本発明は、上記問題に鑑みてなされたものであり、ノズル本体周辺部の隔壁変形を防止させてノズル本体周辺部をより衛生的に維持できるような温水洗浄器のノズルアセンブリを提供することにその目的がある。
【課題を解決するための手段】
【００１４】
上記の目的を達成するための本発明による温水洗浄器のノズルアセンブリは、ノズル本体を介して洗浄水を噴射して肛門や局所を洗浄及びマッサージし、自己洗浄ノズルを介して洗浄水を噴射してノズル本体を洗浄する温水洗浄器のノズルアセンブリにおいて、ノズル本体の下部に耐熱素材でありながら一方が開放された隔壁状の別途周辺部材が設けられていることを特徴とする。
【００１５】
ここで、前記ノズル本体には、下部に結合突起が設けられていることを特徴とする。
【００１６】
そして、前記周辺部材には、ノズル本体の結合突起が挿入される結合ホールが設けられていることを特徴とする。
【００１７】
一方、本発明の他の実施例による温水洗浄器のノズルアセンブリは、ノズル本体を介して洗浄水を噴射して肛門や局所を洗浄及びマッサージし、自己洗浄ノズルを介して洗浄水を噴射してノズル本体を洗浄する温水洗浄器のノズルアセンブリにおいて、前記ノズル本体の下部に耐熱素材でありながら一方が開放された隔壁状の別途周辺部材が設けられ、前記自己洗浄ノズルに洗浄水を高温に加熱して供給する高温水供給ユニット及び洗浄水をイオンクラスタ状の殺菌水に変性して供給する殺菌水供給ユニットが連結設置されていることを特徴とする。
【００１８】
ここで、前記高温水供給ユニットは瞬間式または貯湯式であり、洗浄水を６５℃〜１００℃に加熱することを特徴とする。
【００１９】
そして、前記殺菌水供給ユニットは洗浄水に微細電流を印加することによって活性酸素のＯ−、Ｏ２、Ｏ３、ＨＯ２、Ｈ２Ｏ２、ＯＨイオンクラスタ状の殺菌水にすることを特徴とする。
【発明の効果】
【００２０】
本発明による温水洗浄器のノズルアセンブリは、ノズル本体下部に結合される周辺部材が耐熱素材になっていて高熱でも変形せず、ノズル本体周辺の隔壁変形によるノズル本体周辺部の汚れを防止することができ、ノズル本体周辺部を衛生的に維持することができる。
【００２１】
また、本発明による温水洗浄器のノズルアセンブリは、高温水供給ユニットからの高温水と殺菌水供給ユニットからの殺菌水とを介してノズル本体の洗浄ができるので高温水及び殺菌水が有する殺菌効果によりノズル本体を衛生的に維持することができる。
【図面の簡単な説明】
【００２２】
【図１】本発明による温水洗浄器のノズルアセンブリの構造を説明するための要部分解斜視図である。
【図２】本発明による温水洗浄器のノズルアセンブリにおいてノズル本体と周辺部材との結合を説明するための結合状態断面図である。
【図３】本発明による温水洗浄器のノズルアセンブリにおいて周辺部材の構造を説明するための断面図である。
【図４】本発明の第２実施例による温水洗浄器のノズルアセンブリの構造を説明するための概路図である。
【図５】本発明の第２実施例による温水洗浄器のノズルアセンブリにおいて高温水供給ユニットからの高温水によるノズル本体洗浄を説明するための作動状態図である。
【図６】本発明の第２実施例による温水洗浄器のノズルアセンブリにおいて殺菌水供給ユニットからの殺菌水によるノズル本体洗浄を説明するための作動状態図である。
【図７】従来の温水洗浄器のノズルアセンブリの構造を説明するための概路図である。
【図８】従来の温水洗浄器のノズルアセンブリにおいて隔壁の形態を示す斜視図である。
【発明を実施するための形態】
【００２３】
以下で添付図面を参照しながら、本発明の好適な実施の形態について詳細に説明する。
【００２４】
本発明による温水洗浄器のノズルアセンブリＡは、ハウジング１０と、給水栓２０と、配管３０と、減圧弁４０と、温水タンク５０と、流量調節弁６０と、ノズル本体７０と、自己洗浄ノズル８０と、とともに、周辺部材１００を含む。
前記ハウジング１０は、座便器（図示せず）上に設けられている。
【００２５】
このようなハウジング１０は、従来の温水洗浄器のハウジングと同一なので、その構造及び作動に関する詳細な説明は省略する。
【００２６】
前記給水栓２０は、ハウジング内部に設けられているもので、ハウジング１０外部から流入される水供給管（図示せず）に連結される。
【００２７】
このような給水栓２０は、従来の温水洗浄器の給水栓と等しいので、その構造及び作動に関する詳細な説明は省略する。
【００２８】
前記配管３０は、給水栓２０に連結設置されて洗浄水（給水栓から流入される水）の進行経路となる。
【００２９】
このような配管３０は、従来の温水洗浄器の給水栓と等しいので、その構造及び作動に関する詳細な説明は省略する。
【００３０】
前記減圧弁４０は、配管３０上の前方部に設けられて、配管３０に沿って流れる洗浄水圧を調節する。
【００３１】
このような減圧弁４０は、従来の温水洗浄器の減圧弁４０と等しいので、その構造及び作動に関する詳細な説明は省略する。
【００３２】
前記温水タンク５０は減圧弁４０の後方の配管３０上に設けられ、減圧弁４０からの洗浄水を、ヒータ（図示せず）を介して所定温度に加熱する。
【００３３】
このような温水タンク５０は、従来の温水洗浄器の温水タンクと等しいので、その構造及び作動に関する詳細な説明は省略する。
【００３４】
前記流量調節弁６０は、温水タンク５０の後方の配管３０上に設けられて、温水タンク５０からの洗浄水流量を調節する。
【００３５】
このような流量調節弁６０は、従来の温水洗浄器の流量調節弁と等しいので、その構造及び作動に関する詳細な説明は省略する。
【００３６】
前記ノズル本体７０は、流量調節弁６０の後方の配管３０先端に設けられて、流量調節弁６０からの洗浄水を噴射する。
【００３７】
このようなノズル本体７０は、従来の温水洗浄器のノズル本体と等しいので、その構造及び作動に関する詳細な説明は省略する。
【００３８】
ただし、ノズル本体７０下部には、結合突起７１が設けられることが好ましい。
【００３９】
ノズル本体７０下部に結合突起７１が設けられ、周辺部材１００に設けられた結合ホール１１０にノズル本体７０の結合突起７１を挿入することで、ノズル本体７０と周辺部材１００との結合が簡単かつ堅固に行われることができる。
【００４０】
前記自己洗浄ノズル８０は、ノズル本体７０の先端周辺に設けられ、流量調節弁６０を経て分岐した洗浄水を噴射してノズル本体７０を洗浄する。
【００４１】
このような自己洗浄ノズル８０は、従来の温水洗浄器の自己洗浄ノズルと等しいので、その構造及び作動に関する詳細な説明は省略する。
【００４２】
前記周辺部材１００は、ノズル本体７０下部に隣接するハウジング１０のノズル出入口１１の上部に設けられて、耐熱素材でありながら一方が開放された隔壁状となる。
【００４３】
このような周辺部材１００には、結合ホール１１０が設けられることが好ましい。
【００４４】
周辺部材１００に結合ホール１１０が設けられ、ノズル本体７０に設けられた結合突起７１が結合ホール１１０に挿入されることで、周辺部材１００とノズル本体７０との結合が簡単かつ堅固に行われることができる。
【００４５】
このとき、周辺部材１００は耐熱素材であればよいが、なるべくステンレススチールからなることが好ましい。
【００４６】
周辺部材１００はステンレススチールからなることで、６５℃〜１００℃の高温水に接しても変形防止ができるとともに衛生性を高めることができる。
【００４７】
そして、周辺部材１００は底面１２０が下部に向けて３°〜５゜傾斜されていることが好ましい。
【００４８】
周辺部材１００の底面１２０が下部に向けて３°〜５゜傾斜されることで、周辺部材１００内に洗浄水、高温水または殺菌水が落下しても下部に向かう傾斜に沿って自然に排出されることができる。
【００４９】
一方、本発明の他の実施例による温水洗浄器のノズルアセンブリＡは、ハウジング１０と、給水栓２０と、配管３０と、減圧弁４０と、温水タンク５０と、流量調節弁６０と、ノズル本体７０と、自己洗浄ノズル８０と、とともに、周辺部材１００、高温水供給ユニット２００及び殺菌水供給ユニット３００をさらに含む。
【００５０】
前記ハウジング１０と、給水栓２０と、配管３０と、減圧弁４０と、温水タンク５０と、流量調節弁６０と、ノズル本体７０と、自己洗浄ノズル８０と、周辺部材１００と、は、上記説明と等しいので、詳細な説明は省略する。
【００５１】
前記高温水供給ユニット２００は、自己洗浄ノズル８０に洗浄水を高温に加熱して供給する。
【００５２】
このような高温水供給ユニット２００は、瞬間式または貯湯式加熱によって減圧弁４０からの洗浄水を６５℃〜１００℃に加熱することが好ましい。
【００５３】
高温水供給ユニット２００が瞬間式または貯湯式加熱によって減圧弁４０からの洗浄水を６５℃〜１００℃に加熱することで、高温水によりノズル本体７０を洗浄することになるので、殺菌効果が得られる。
【００５４】
ここで、高温水供給ユニット２００からの高温水は自己洗浄ノズル８０に供給するものとしたが、これに限定されない。
【００５５】
すなわち、高温水供給ユニット２００からの高温水は自己洗浄ノズル８０以外に、図４に示すようにノズル本体７０周辺に設けられている別途の噴射ノズル４００または便器洗浄ノズル５００に供給されて噴射されることができる。
【００５６】
一方、高温水供給ユニット２００は減圧弁４０と自己洗浄ノズル８０との間に設けられていることで、減圧された洗浄水を高温に加熱して自己洗浄ノズル８０に供給することができる。
【００５７】
前記殺菌水供給ユニット３００は、洗浄水をイオンクラスタ状の殺菌水に変性して自己洗浄ノズル８０に供給する。
【００５８】
このような殺菌水供給ユニット３００は、洗浄水に微細電流を印加することで、活性酸素のＯ−、Ｏ２、Ｏ３、ＨＯ２、Ｈ２Ｏ２、ＯＨイオンクラスタ状の殺菌水に変性させる。
【００５９】
このとき、殺菌水供給ユニット３００から洗浄水に印加される微細電流はＤＣ１２Ｖ、０．８Ａ〜１．５Ａであることが好ましい。
【００６０】
殺菌水供給ユニット３００から洗浄水に印加される微細電流が、ＤＣ１２Ｖ、０．８Ａ〜１．５Ａであることで、電気分解によって洗浄水が活性酸素のＯ−、Ｏ２、Ｏ３、ＨＯ２、Ｈ２Ｏ２、ＯＨイオンクラスタ状の殺菌水になることができる。
【００６１】
ここで、殺菌水供給ユニット３００からの殺菌水は自己洗浄ノズル８０に供給されるものとしたが、これに限定されない。
【００６２】
すなわち、殺菌水供給ユニット３００からの殺菌水は、図４に示すように自己洗浄ノズル８０以外にノズル本体７０の周辺に設けられている別の噴射ノズル４００または便器洗浄ノズル５００に供給されて噴射されることができる。
【００６３】
一方、殺菌水供給ユニット３００は、流量調節弁６０と自己洗浄ノズル８０との間に設けられていることで、流量調節された洗浄水をイオンクラスタ状の殺菌水に変性して自己洗浄ノズル８０に供給することができる。
【００６４】
次に、前記のような本発明による温水洗浄器のノズルアセンブリＡを介するノズル本体７０の周辺部の衛生維持に関して詳しく説明する。
【００６５】
本発明においてノズル本体７０下部には、図１及び図２に示すように別途の周辺部材１００が設けられている。
【００６６】
このとき、周辺部材１００は、ノズル本体７０下部に設けられた結合突起７１が周辺部材１００自体に設けられた結合ホール１１０に挿入されることで、嵌合されてノズル本体７０の下部に固定される。
【００６７】
ここで、周辺部材１００は一方、すなわち、前方が開放された隔壁状となり、ノズル本体７０の周辺部を他部位と区分させるので、ノズル本体７０を介する洗浄水噴射過程において異物を含む洗浄水がノズル本体７０周辺部に散布されることを遮断する。
【００６８】
このとき、周辺部材１００は、ステンレススチールなどの耐熱素材からなっていて、ノズル本体７０を６５℃〜１００℃の高温水に洗浄しても変形がない。
【００６９】
したがって、ノズル本体７０を含むノズル本体７０の周辺部を高温水で洗浄しても問題はない。
【００７０】
そして、高温水洗浄を介する殺菌によりノズル本体７０の周辺部を衛生的に維持することができる。
【００７１】
一方、本発明において周辺部材１００の底面１２０は図３に示すように下部に向けて３°〜５゜傾斜されている。
【００７２】
したがって、周辺部材１００の底面１２０に洗浄水または高温水が噴射されても傾斜に沿って自然に外部に排出されることができる。
【００７３】
そして、洗浄水または高温水の停滞による周辺部材１００自体の汚染を防止することができる。
【００７４】
そして、本発明による温水洗浄器のノズルアセンブリＡは、ノズル本体７０の周辺部だけでなくノズル本体７０自体も衛生的に維持することができる。
【００７５】
さらに、本発明による温水洗浄器のノズルアセンブリＡを介するノズル本体７０の衛生維持に関して詳しく説明する。
【００７６】
本発明の第２実施例には、周辺部材１００とともに、高温水供給ユニット２００と殺菌水供給ユニット３００とが設けられている。
【００７７】
このとき、高温水供給ユニット２００は、図４に示すように、減圧弁４０と自己洗浄ノズル８０との間に設けられて減圧弁４０からの洗浄水を６５℃〜１００℃に加熱して自己洗浄ノズル８０に供給する。
【００７８】
したがって、高温水供給ユニット２００から供給された高温水が図５に示すように自己洗浄ノズル８０を介して噴射することができる。
【００７９】
そして、ノズル本体７０が不衛生であると憂慮される状況において、高温水供給ユニット２００を作動し、自己洗浄ノズル８０を介して高温水を噴射してノズル本体７０を洗浄すると、高温水による殺菌効果を介してノズル本体７０を衛生的に維持することができる。
【００８０】
そして、殺菌水供給ユニット３００は、図４に示すように、流量調節弁６０と自己洗浄ノズル８０との間に設けられて流量調節弁６０からの洗浄水をイオンクラスタ状の殺菌水に変性して自己洗浄ノズル８０に供給する。
【００８１】
したがって、図６に示すように、自己洗浄ノズル８０を介して殺菌水供給ユニット３００から供給された殺菌水の噴射が行われることができる。
【００８２】
そこで、ノズル本体７０が不衛生であると憂慮される状況において殺菌水供給ユニット３００を作動し、自己洗浄ノズル８０を介して殺菌水を噴射してノズル本体７０を洗浄すると、殺菌水による殺菌効果を介してノズル本体７０を衛生的に維持することができる。
【００８３】
上記のように、本発明による温水洗浄器のノズルアセンブリＡは、ノズル本体７０の下部に結合される周辺部材１００が耐熱素材になっていて高熱でも変形しない。
【００８４】
したがって、ノズル本体７０周辺の隔壁変形によるノズル本体７０の周辺部の汚れを防止することができ、ノズル本体７０の周辺部を衛生的に維持することができる。
【００８５】
また、本発明による温水洗浄器のノズルアセンブリＡは、高温水供給ユニット２００からの高温水と殺菌水供給ユニット３００からの殺菌水とを介してノズル本体７０の洗浄が行われるので、高温水及び殺菌水が有する殺菌効果を介してノズル本体７０を衛生的に維持することができる。
【００８６】
上述では、本発明の好ましい実施形態を参照して説明したが、当該技術分野の熟練した当業者は、添付の特許請求の範囲に記載された本発明の思想及び領域から逸脱しない範囲で、本発明を多様に修正及び変更させることができる。
【符号の説明】
【００８７】
１０、１０’  ハウジング
１１、１１’  ノズル出入口
１２  隔壁
２０、２０’  給水栓
３０、３０’  配管
４０、４０’  減圧弁
５０、５０’  温水タンク
６０、６０’  流量調節弁
７０、７０’  ノズル本体
７１  結合突起
８０、８０’  自己洗浄ノズル
１００  周辺部材
１１０  結合ホール
１２０  底面
２００  高温水供給ユニット
３００  殺菌水供給ユニット
４００  噴射ノズル
５００  便器洗浄ノズル
Ａ、Ａ’  ノズルアセンブリ
【図１】
0005766153.tif 000002
【図２】
0005766153.tif 000003
【図３】
0005766153.tif 000004
【図４】
0005766153.tif 000005
【図５】
0005766153.tif 000006
【図６】
0005766153.tif 000007
【図７】
0005766153.tif 000008
【図８】
0005766153.tif 000009